(57)【要約】【課題】加湿装置の周辺物体の温度を検知して周辺の結露を軽減し、加湿空気を効率的に散布することを目的とする。【解決手段】給水タンク２の水を気化あるいは噴霧の一方または両方による加湿手段３と、前記加湿手段３より室内に加湿空気を送り出すためのファンとモータから構成される送風手段４ａと、前記送風手段４ａから加湿空気の風向を可変できる風向制御手段５と、前記風向制御手段５の吹き出し部６の前方空間を複数領域に分けて各領域の温度を検出するマトリックス状に検知素子を配置した温度分布検出手段７と、前記温度分布検出手段７により、前記加湿手段３、前記送風手段４ａ、前記風向制御手段５を制御する制御手段８ａという構成にしたことにより、室内の比較的温度が低い周辺の家具等を避けて吹き出すので、加湿空気がすぐに温度の低い家具等に当たり結露することを防止した加湿装置を得られる。【選択図】図１
2012163294.tif 000002
【特許請求の範囲】
【請求項１】
給水タンクに貯えられた水を気化あるいは噴霧の一方または両方による加湿手段と、前記加湿手段より室内に加湿空気を送り出すためのファンとモータから構成される送風手段と、前記送風手段から加湿空気の風向を可変できる風向制御手段と、前記風向制御手段の吹き出し部の前方空間を複数領域に分けて各領域の温度を検出するマトリックス状に検知素子を配置した温度分布検出手段と、前記温度分布検出手段により、前記加湿手段、前記送風手段、前記風向制御手段を制御する制御手段とを設けた加湿装置。
【請求項２】
前記風向制御手段の吹き出し部の前方空間を複数領域に分けて各領域の障害物の距離を検出する距離測定手段と、前記風向制御手段の吹き出し部の前方空間の前記温度分布検出手段による各検出領域の温度と前記距離測定手段による各検出領域の距離を識別して前記風向制御手段を制御する制御手段とを設けた請求項１に記載の加湿装置。
【請求項３】
本体周辺の温度を検知できる温度検知手段と、送風量を可変できる送風手段と、前記温度検知手段と前記温度分布検出手段の情報により、加湿空気が結露し易い温度以下と判断して前記送風手段を制御する制御手段とを設けた請求項１または２に記載の加湿装置。
【請求項４】
前記温度分布検出手段からの各検出領域の温度情報を時間経過で記憶し、過去の各検出領域の状態と比較して、室内の飽和水蒸気量が上がらない、もしくは低下すると判断して前記加湿手段を制御する制御手段とを設けた請求項１から３のいずれか一項に記載の加湿装置。
【請求項５】
吹き出し部の周辺空間の風速を検知できる風速検知手段と、前記風速検知手段による風速情報により、周辺の風の影響を判断して前記送風手段を制御する制御手段とを設けた請求項１から４のいずれか一項に記載の加湿装置。
【請求項６】
前記温度分布検出手段により人体識別できる制御手段とを設けた請求項１から５のいずれか一項に記載の加湿装置。
【請求項７】
就寝中を判断するために、室内の明るさを検知する照度検出手段と、前記照度検出手段と前記温度分布検出手段による人体識別の情報により、就寝中を判断して前記風向制御手段を制御する制御手段とを設けた請求項１から６のいずれか一項に記載の加湿装置。
【請求項８】
前記温度分布検出手段により前記風向制御手段の可変された風向をＬＥＤあるいはＬＣＤの一方または両方にて表示する表示手段とを設けた請求項１から７のいずれか一項に記載の加湿装置。
【発明の詳細な説明】
【技術分野】
【０００１】
本発明は、冬季に室内の湿度低下の防止のための加湿装置に関するものである。
【背景技術】
【０００２】
従来、この種の加湿装置は室内の湿度を補うために使用者が水タンクに給水して加湿運転されたものが知られている（例えば、特許文献１参照）。
【０００３】
以下、その加湿装置について図９を参照しながら説明する。
【０００４】
図９に示すように、水を気化させるための加湿ユニット１０１と、吹き出し口１０２から前記加湿ユニット１０１で生成された蒸気を吹き出すためのファン１０３とを備える。
【０００５】
そして、貯えられた水は前記加湿ユニット１０１のヒータで加熱されて蒸気となり、前記ファン１０３の送風により吹き出される。
【先行技術文献】
【特許文献】
【０００６】
【特許文献１】特開２００２−４８３６１号公報
【発明の概要】
【発明が解決しようとする課題】
【０００７】
このような従来の加湿装置においては、加湿空気は加熱されて蒸気として送風され、吹き出し口周辺の温度を検知していない構成となっていたので、周辺物体の温度が低いと、吹き出された加湿空気が周辺物体に当たりすぐに結露して、いくら加湿しても空気中の湿度が上がらない。
【０００８】
また、周辺が結露して床等に結露水が付着するという課題を有していた。
【０００９】
そこで本発明は、上記従来の課題を解決するものであり、加湿装置の周辺物体の温度状態を検知して周辺の結露を軽減し、加湿空気を効率的に空中に散布する加湿装置を提供することを目的とする。
【課題を解決するための手段】
【００１０】
そして、この目的を達成するために、本発明は、給水タンクに貯えられた水を気化あるいは噴霧の一方または両方による加湿手段と、前記加湿手段より室内に加湿空気を送り出すためのファンとモータから構成される送風手段と、前記送風手段から加湿空気の風向を可変できる風向制御手段と、前記風向制御手段の吹き出し部の前方空間を複数領域に分けて各領域の温度を検出するマトリックス状に検知素子を配置した温度分布検出手段と、前記温度分布検出手段により、前記加湿手段、前記送風手段、前記風向制御手段を制御する制御手段を設けたものであり、これにより所期の目的を達成するものである。
【００１１】
また本発明は前記風向制御手段の吹き出し部の前方空間を複数領域に分けて各領域の障害物の距離を検出する距離測定手段と、前記風向制御手段の吹き出し部の前方空間の前記温度分布検出手段による各検出領域の温度と前記距離測定手段による各検出領域の距離を識別して前記風向制御手段を制御する制御手段とした。
【００１２】
また本発明は本体周辺の温度を検知できる温度検知手段と、送風量を可変できる送風手段と、前記温度検知手段と前記温度分布検出手段の情報により、加湿空気が結露し易い温度以下と判断して前記送風手段を制御する制御手段とした。
【００１３】
また本発明は前記温度分布検出手段からの各検出領域の温度情報を時間経過で記憶し、過去の各検出領域の状態と比較して、室内の飽和水蒸気量が上がらない、もしくは低下すると判断して前記加湿手段を制御する制御手段とした。
【００１４】
また本発明は吹き出し部の周辺空間の風速を検知できる風速検知手段と、前記風速検知手段による風速情報により、周辺の風の影響を判断して前記送風手段を制御する制御手段とした。
【００１５】
また本発明は前記温度分布検出手段により人体識別できる制御手段とした。
【００１６】
また本発明は就寝中を判断するために、室内の明るさを検知する照度検出手段と、前記照度検出手段と前記温度分布検出手段による人体識別の情報により、就寝中を判断して前記風向制御手段を制御する制御手段とした。
【００１７】
また本発明は前記温度分布検出手段により前記風向制御手段の可変された風向をＬＥＤあるいはＬＣＤの一方または両方にて表示する表示手段とした。
【発明の効果】
【００１８】
本発明によれば、給水タンクに貯えられた水を気化あるいは噴霧の一方または両方による加湿手段と、前記加湿手段より室内に加湿空気を送り出すためのファンとモータから構成される送風手段と、前記送風手段から加湿空気の風向を可変できる風向制御手段と、前記風向制御手段の吹き出し部の前方空間を複数領域に分けて各領域の温度を検出するマトリックス状に検知素子を配置した温度分布検出手段と、前記温度分布検出手段により、前記加湿手段、前記送風手段、前記風向制御手段を制御する制御手段を設けたという構成にしたことにより、前記風向制御手段からの加湿空気は室内の比較的温度が低い周辺の家具等を避けて吹き出されるので、加湿空気がすぐに温度の低い家具等に当たり結露することを防止することができるという効果を得ることができる。
【図面の簡単な説明】
【００１９】
【図１】本発明の実施の形態１の加湿装置の回路構成を示すブロック図
【図２】同温度領域図
【図３】本発明の実施の形態２の加湿装置の回路構成を示すブロック図
【図４】同距離領域図
【図５】本発明の実施の形態３の加湿装置の回路構成を示すブロック図
【図６】本発明の実施の形態５の加湿装置の回路構成を示すブロック図
【図７】本発明の実施の形態７の加湿装置の回路構成を示すブロック図
【図８】本発明の実施の形態８の加湿装置の回路構成を示すブロック図
【図９】従来の加湿装置の回路構成を示すブロック図
【発明を実施するための形態】
【００２０】
本発明の請求項１記載の加湿装置は、給水タンクに貯えられた水を気化あるいは噴霧の一方または両方による加湿手段と、前記加湿手段より室内に加湿空気を送り出すためのファンとモータから構成される送風手段と、前記送風手段から加湿空気の風向を可変できる風向制御手段と、前記風向制御手段の吹き出し部の前方空間を複数領域に分けて各領域の温度を検出するマトリックス状に検知素子を配置した温度分布検出手段と、前記温度分布検出手段により最も温度の高い領域を検出して、前記加湿手段、前記送風手段、前記風向制御手段を制御する制御手段という構成を有する。
【００２１】
これにより、前記制御手段は前記温度分布検出手段が複数の領域で最も温度の高い領域を検出すると、前記風向制御手段の左右、上下方向のルーバーをそれぞれ可変して、加湿空気を前記最も温度の高い領域に向けて送風加湿させるので、前記風向制御手段からの加湿空気は室内の比較的温度が低い周辺の家具等を避けて吹き出されるので、加湿空気がすぐに温度の低い家具等に当たり結露することを防止するという効果を奏する。
【００２２】
また、請求項２記載の加湿装置は、前記風向制御手段の吹き出し部の前方空間を複数領域に分けて各領域の障害物の距離を検出する距離測定手段と、前記風向制御手段の吹き出し部の前方空間の前記温度分布検出手段による各検出領域の温度と前記距離測定手段による各検出領域の距離を識別して前記風向制御手段を制御する制御手段という構成にしてもよい。
【００２３】
これにより、前記制御手段は前記温度分布検出手段の検出した各領域の温度に差が無い場合、前記距離測定手段が吹き出し部の各領域の障害物までの距離を検知して、障害物までの距離がより遠いまたは開放空間と判断された領域に向けて、前記風向制御手段の風向を可変させ送風加湿させるので、吹き出し方向の障害物を避けて加湿空気を送風するので、近接した障害物に加湿空気が直接当たらず、不要な結露を防止できるという効果を奏する。
【００２４】
また、請求項３記載の加湿装置は、本体周辺の温度を検知できる温度検知手段と、送風量を可変できる送風手段と、前記温度検知手段と前記温度分布検出手段の情報により、加湿空気が結露し易い温度以下と判断して前記送風手段を制御する制御手段という構成にしてもよい。
【００２５】
これにより、前記制御手段は前記温度検知手段の温度や前記温度分布検出手段の全検出領域の温度があらかじめ設定した加湿空気が当たると結露しやすい温度以下の場合、室内のフローリング等の床面が低温と想定して、加湿空気が床に到達すると結露し易いと判断する。
【００２６】
そして、前記制御手段は前記風向制御手段の風向を可変させて上方に向け、前記送風手段の風量を上げるようにするので、加湿空気が上方へ強く吹き出されることで、床への到達が緩和されるので、本体周辺の床面の結露防止がおこなえるという効果を奏する。
【００２７】
また、請求項４記載の加湿装置は、前記温度分布検出手段からの各検出領域の温度情報を時間経過で記憶し、過去の各検出領域の状態と比較して、室内の飽和水蒸気量が上がらない、もしくは低下すると判断して前記加湿手段を制御する制御手段という構成にしてもよい。
【００２８】
これにより、前記制御手段は前記温度分布検出手段からの複数の検出領域の温度情報で、特定時間経過しても温度上昇がない、あるいは全領域の温度が低下していると検知すると、加湿運転を継続しても飽和水蒸気量が上がらない、もしくは飽和水蒸気量が低下すると判断し、加湿運転を継続しても室内の加湿ができないと判断する。
【００２９】
そして、前記制御手段は前記加湿手段を制御して、加湿運転を断続運転に切替えて加湿量を低下させるので、室内の暖房運転開始での室内の温度上昇が悪い場合や暖房を停止させた場合、温度低下による加湿空気の結露が発生し易いため、加湿手段の断続運転により不要な結露を防止すると共に、加湿手段の断続運転による消費電力の軽減がなされ省エネとなるという効果を奏する。
【００３０】
また、請求項５記載の加湿装置は、前記吹き出し部の周辺空間の風速を検知できる風速検知手段と、前記風速検知手段による風速情報により、周辺の風の影響を判断して前記送風手段を制御する制御手段という構成にしてもよい。
【００３１】
これにより、前記制御手段は前記温度分布検出手段から最も温度の高い検出領域に向けて前記風向制御手段により風向を可変させた場合、前記風速検知手段より本体周辺の風速があらかじめ設定した風速以上の場合、エアコン等の空調機による風の影響があると判断し、前記送風手段の風量をアップさせるので、エアコン等の空調機等による風の影響で加湿空気の向きが目標方向から影響されることを防止できるという効果を奏する。
【００３２】
また、請求項６記載の加湿装置は、前記温度分布検出手段により人体識別できる制御手段という構成にしてもよい。
【００３３】
これにより、前記制御手段は前記温度分布検出手段の各領域にて、温度の領域が移動することで人体を認識する。
【００３４】
前記制御手段は前記温度分布検出手段の各領域に人体識別が特定時間できない場合、本体周囲に人が不在と判断し、前記加湿手段の運転を断続運転に切り換えるので、人が特定時間不在と判断された場合、加湿手段の断続運転による消費電力の軽減がなされ省エネとなるという効果を奏する。
【００３５】
また、請求項７記載の加湿装置は、就寝中を判断するために、室内の明るさを検知する照度検出手段と、前記照度検出手段と前記温度分布検出手段による人体識別の情報により、就寝中を判断して前記風向制御手段を制御する制御手段という構成にしてもよい。
【００３６】
これにより、前記制御手段は夜間に室内の照明を消したことで、前記照度検出手段は照度低下を検知すると就寝中と判断し、あらかじめ前記温度分布検出手段による人体位置の領域の識別ができると、前記風向制御手段を可変して、加湿空気を人体位置の領域に向けて送風加湿させので、就寝中に就寝者周辺に向けて加湿空気を送ることで、加湿を効率的におこなえ、水の節約にもなり、就寝中に給水タンクの水の渇水防止にもなるという効果を奏する。
【００３７】
また、請求項８記載の加湿装置は、前記温度分布検出手段により前記風向制御手段の可変された風向をＬＥＤあるいはＬＣＤの一方または両方にて表示する表示手段という構成にしてもよい。
【００３８】
これにより、前記制御手段は風向の向きを前記表示手段により表示し、使用者に加湿装置周辺の結露の可能性を認識させ、設置を変えて前記表示手段の風向の向きが中央になるようにさせるので、使用者が本体の向きを変更することで、加湿送風を結露しにくい効率的な場所に設置できるという効果を奏する。
【００３９】
以下、本発明の実施の形態について図面を参照しながら説明する。
【００４０】
（実施の形態１）
図１に示すように、本発明の加湿装置は、本体１内部の給水タンク２に貯えられた水を気化あるいは噴霧の一方または両方による加湿手段３と、前記加湿手段３より室内に加湿空気を送り出すためのファンとモータから構成される送風手段４ａと、前記送風手段４ａから加湿空気の風向を可変できる風向制御手段５と、前記風向制御手段５の吹き出し部６の前方空間を複数領域に分けて各領域の温度を検出するマトリックス状に検知素子を配置した温度分布検出手段７と、前記温度分布検出手段７により最も温度の高い領域を検出して、前記加湿手段３、前記送風手段４ａ、前記風向制御手段５を制御する制御手段８ａとを設けた構成を有する。
【００４１】
上記構成において、前記風向制御手段５は左右方向に可変できるルーバー５ａと上下方向に可変できるルーバー５ｂをステッピングモータによりそれぞれ可変することで、吹き出し部６からの送風方向を可変できる。
【００４２】
また、図２に示すように、前記温度分布検出手段７としては複数領域の各領域の温度を検出するようにサーモパイル素子を複数配列する。
【００４３】
例えば、吹き出し部６の前方空間を９領域に分ける場合は９個のサーモパイル素子をマトリックス状に配列させる。
【００４４】
運転開始により、前記制御手段８ａは前記温度分布検出手段７が９個の領域を検出ができ、検出領域７ａが最も温度の高い領域の場合、前記風向制御手段５の左右、上下方向のルーバーをそれぞれ可変して、加湿空気を前記検出領域７ａに向けて送風加湿させる。
【００４５】
これにより、前記風向制御手段５からの加湿空気は室内の比較的温度が低い周辺の家具等を避けて吹き出されるので、加湿空気がすぐに温度の低い家具等に当たり結露することを防止することができる。
【００４６】
（実施の形態２）
図３および図４において、実施の形態１と同様の構成要素については同一の符号を付し、その詳細な説明は省略する。
【００４７】
図３に示すように、本発明の加湿装置は、
前記風向制御手段５の吹き出し部６の前方空間を複数領域に分けて各領域の障害物の距離を検出する距離測定手段９と、前記風向制御手段５の吹き出し部６の前方空間の前記温度分布検出手段７による各検出領域の温度と前記距離測定手段９による各検出領域の距離を識別して前記風向制御手段を制御する制御手段８ｂとを設けた構成を有する。
【００４８】
上記構成において、前記距離測定手段９としては、超音波方式による距離の測定方法があり、超音波信号を任意の時間発音できる送信側と超音波信号を受信できる受信側から構成される。
【００４９】
送信側より超音波信号を任意の時間発音させた場合、送信前方に障害物があると超音波信号が反射され、受信側で反射された超音波信号が検知できる。この時、送信側の超音波信号の送信開始時間と障害物による反射された超音波信号が受信側で受信された時間差を音速より演算して距離を推定する。障害物が近い程、受信側の検知時間差が短く、逆に障害物が遠い程、検知時間差が長くなる。また、送信側の超音波出力の到達レベル限界以上や障害物がない場合には、受信側では超音波信号は受信できなくなる。
【００５０】
また、前記距離測定手段９の送信側の超音波信号の指向性を高めることで、検知領域の精度を高めることができるが、前記温度分布検出手段７の複数領域の数だけ検知するには、複数の超音波送受信を設ける、あるいは一つの超音波送受信を可動させる必要がある。
【００５１】
室内の居住空間においては、送風加湿に対する障害物としては家具や壁等が想定される。その場合には、特に左右の領域の障害物までの距離の検知が必要となる。
【００５２】
そのため、吹き出し口の左右の少なくとも２領域以上の距離検知が望ましい。
【００５３】
例えば、図４に示すように、吹き出し部６の左右の領域の障害物の距離を検知できるように２個の超音波送受信を設け、検知距離としては前記送風手段４ａが加湿空気を送風できる範囲の障害物を検知できるようにする。
【００５４】
運転開始により、前記制御手段８ｂは前記温度分布検出手段７の検出した各領域の温度に差が無い場合、前記距離測定手段９が吹き出し部６の左右の２領域の障害物までの距離を検知して、右側の領域９ａが障害物までの距離が左側の領域９ｂより遠いまたは開放空間と判断されると、前記風向制御手段５の風向を可変させ右側の領域９ａに向けて送風加湿させる。
【００５５】
これにより、吹き出し方向の障害物を避けて加湿空気を送風するので、近接した障害物に加湿空気が直接当たらず、不要な結露を防止できる。
【００５６】
（実施の形態３）
図５において、実施の形態１と同様の構成要素については同一の符号を付し、その詳細な説明は省略する。
【００５７】
図５に示すように、本発明の加湿装置は、本体１周辺の温度を検知できる温度検知手段１０と、送風量を可変できる送風手段４ｂと、前記温度検知手段１０と前記温度分布検出手段７の情報により、加湿空気が結露し易い温度以下と判断して前記送風手段４ｂを制御する制御手段８ｃとを設けた構成を有する。
【００５８】
上記構成において、前記温度検知手段１０は本体１内の前記送風手段４ｂの吸い込み風路内に設けることで本体１周辺の温度を検知する。
【００５９】
そして、前記制御手段８ｃは前記温度検知手段１０の温度や前記温度分布検出手段７の全検出領域の温度があらかじめ設定した加湿空気が当たると結露しやすい温度以下の場合、温度としては１０℃以下が望ましい、室内のフローリング等の床面が低温と想定して、加湿空気が床に到達すると結露し易いと判断する。
【００６０】
そして、前記制御手段８ｃは前記風向制御手段５の風向を可変させて上方に向け、前記送風手段４ｂの風量を上げるようにする。
【００６１】
これにより、加湿空気が上方へ強く吹き出されることで、床への到達が緩和されるので、本体周辺の床面の結露防止がおこなえる。
【００６２】
（実施の形態４）
図１において、実施の形態１と同様の構成要素については同一の符号を付し、その詳細な説明は省略する。
【００６３】
図１に示すように、本発明の加湿装置は、
前記温度分布検出手段７からの各検出領域の温度情報を時間経過で記憶し、過去の各検出領域の状態と比較して、室内の飽和水蒸気量が上がらない、もしくは低下すると判断して前記加湿手段３を制御する制御手段８ｄとを設けた構成を有する。
【００６４】
上記構成において、
前記制御手段８ｄは前記温度分布検出手段７からの複数の検出領域の温度情報で、特定時間経過しても温度上昇がない、あるいは全領域の温度が低下していると検知すると、加湿運転を継続しても室内の飽和水蒸気量が上がらない、もしくは飽和水蒸気量が低下すると判断し、加湿運転を継続しても室内の加湿ができないと判断できる。
【００６５】
そして、前記制御手段８ｄは前記加湿手段３を制御して、加湿運転を断続運転に切替えて加湿量を低下させる。
【００６６】
これにより、室内の暖房運転開始での室内の温度上昇が悪い場合や暖房を停止させた場合、温度低下による加湿空気の結露が発生し易いため、加湿手段の断続運転により不要な結露を防止すると共に、加湿手段の断続運転による消費電力の軽減がなされ省エネとなる。
【００６７】
（実施の形態５）
図６において、実施の形態１と同様の構成要素については同一の符号を付し、その詳細な説明は省略する。
【００６８】
図６に示すように、本発明の加湿装置は、
前記吹き出し部６の周辺空間の風速を検知できる風速検知手段１１と、
前記風速検知手段１１による風速情報により、周辺の風の影響を判断して前記送風手段４ｂを制御する制御手段８ｅとを設けた構成を有する。
【００６９】
上記構成において、
前記風速検知手段１１としては、本体１周辺の風速を検知するためにサーミスタ検知方式がある。これは白金素子に電流を流すことで発熱する自己発熱素子の特性より、自己発熱素子に風が直接当たることにより、自己発熱素子の温度が低下する。
【００７０】
そして、風速が早い程、この温度低下も大きくなる。
【００７１】
この温度低下による自己発熱素子のインピーダンスの変化量をその時の温度補正により演算して風速量を推定する。
【００７２】
運転開始により、前記制御手段８ｅは前記温度分布検出手段７から最も温度の高い検出領域７ａに向けて前記風向制御手段５により風向を可変させた場合、前記風速検知手段１１より本体１周辺の風速があらかじめ設定した風速以上の場合、その風速値としては１．５ｍ／ｓ以上の軽風が望ましい、エアコン等の空調機による風の影響があると判断し、前記送風手段４ｂの風量をアップさせる。
【００７３】
これにより、
本体周辺に風の影響があると風量アップすることで、エアコン等の空調機等による風の影響で加湿空気の向きが目標方向から影響されることを防止できる。
【００７４】
（実施の形態６）
図１において、実施の形態１と同様の構成要素については同一の符号を付し、その詳細な説明は省略する。
【００７５】
図１に示すように、本発明の加湿装置は、
前記温度分布検出手段７により人体識別できる制御手段８ｆとを設けた構成を有する。
【００７６】
上記構成において、
前記温度分布検出手段７での人体識別に関しては、人が検出領域の近傍ならば体温に近い温度を検知できるが、遠くに人が居る場合は一つの検出領域に人と周囲の温度の平均温度となるため、人の識別が困難になる。
【００７７】
また、検出する複数領域を多くすることで人体識別の精度は上がるが、サーモパイル素子をその分増やすことになり、コスト面での実用性がなくなる。
【００７８】
そのため、室内の人体識別としては人が移動することで、すなわち各検出領域を人が横切ることでの熱源の移動変化で人の識別を簡易的におこなうようにする。
【００７９】
運転開始により、前記制御手段８ｆは前記温度分布検出手段７の各領域にて、温度の領域が移動することで人体を認識する。
【００８０】
そして、前記制御手段８ｆは前記温度分布検出手段７の各領域に人体識別が特定時間できない場合、本体周囲に人が不在と判断し、前記加湿手段３の運転を断続運転に切り換える。
【００８１】
これにより、
人が特定時間不在と判断された場合、加湿手段の断続運転による消費電力の軽減がなされ省エネとなる。
【００８２】
（実施の形態７）
図７において、実施の形態１と同様の構成要素については同一の符号を付し、その詳細な説明は省略する。
【００８３】
図７に示すように、本発明の加湿装置は、就寝中を判断するために、室内の明るさを検知する照度検出手段１２と、前記照度検出手段１２と前記温度分布検出手段７による人体識別の情報により、就寝中を判断して前記風向制御手段５を制御する制御手段８ｇとを設けた構成を有する。
【００８４】
上記構成において、一般的に就寝中は暖房能力を弱めることや外気の温度低下が進むことで、窓等の結露が増加し、室内全体の加湿をおこなうより就寝者の周辺を加湿する方が効率的である。
【００８５】
就寝中の人体識別に関しては、冬季は特に布団から出ているのは顔のみの温度検知になり、また各検出領域を人が横切ることもなく、人の顔の画像認識等の高精度の人体識別が必要となる。
【００８６】
そのため、就寝前の人の移動による人体識別と人の位置把握を常時おこない、人が移動しなくなった場合の検知領域を把握することで簡易的に人の位置の識別をおこなう。
【００８７】
前記制御手段８ｇは夜間に室内の照明を消したことで、前記照度検出手段１２は照度低下を検知すると就寝中と判断し、あらかじめ前記温度分布検出手段７による人体位置の領域の識別ができると、前記風向制御手段５を可変して、加湿空気を人体位置の領域に向けて送風加湿させる。
【００８８】
これにより、就寝中に就寝者周辺に向けて加湿空気を送ることで、加湿を効率的におこなえ、水の節約にもなり、就寝中に給水タンクの水の渇水防止にもなる。
【００８９】
（実施の形態８）
図８において、実施の形態１と同様の構成要素については同一の符号を付し、その詳細な説明は省略する。
【００９０】
図８に示すように、本発明の加湿装置は、
前記温度分布検出手段７により前記風向制御手段５の可変された風向をＬＥＤあるいはＬＣＤの一方または両方にて表示する表示手段１３とを設けた構成を有する。
【００９１】
上記構成において、本体１周辺の結露しにくい向きに制御手段８ｈは加湿空気を送るように制御するが、室内の暖房用の空調機、家具や窓等の位置関係と加湿装置の据付場所は電源コンセントの制約等があり、必ずしも最適な加湿場所に設置されない。
【００９２】
そのため、前記制御手段８ｈは風向の向きを前記表示手段１３により表示し、使用者に加湿装置周辺の結露の可能性を認識させ、設置を変えて前記表示手段１３の風向の向きが中央になるようにさせる。
【００９３】
これにより、使用者に現在の最適風向を知らせて本体の向きを変更させることで、加湿送風を結露しにくい効率的な場所に設置できる。
【００９４】
なお、実施の形態１では、１個の吹き出し部を設けたが、２方向以上の吹き出し部を設けて、各吹き出し部に相当する温度分布検出手段を設けてもよく、その作用効果に差異を生じない。
【００９５】
なお、実施の形態２では、２個の超音波送受信を設けて、左右の距離検知をさせたが、１個の送信側の送信領域を広くとり、２個の受信側の指向性を狭めることでも、左右の受信側の反射された時間差により、障害物までの距離を想定するようにしてもよく、その作用効果に差異を生じない。
【００９６】
なお、実施の形態４および６では、加湿手段を断続運転させたが、加湿能力を可変させてもよく、その作用効果に差異を生じない。
【産業上の利用可能性】
【００９７】
本発明にかかる加湿装置は、加湿空気を室内の比較的温度が低い周辺の家具等を避けて吹き出されるので、加湿空気がすぐに温度の低い家具等に当たり結露することの防止を可能とするものであるので、冬季のエアコン暖房では室内の乾燥が進み、のどやカゼのウィルス抑制の体調管理等では、室内の湿度を好ましくは４５％以上に保つための加湿装置として有用である。
【符号の説明】
【００９８】
３    加湿手段
４ａ  送風手段
４ｂ  送風手段
５    風向制御手段
７    温度分布検出手段
８ａ  制御手段
８ｂ  制御手段
８ｃ  制御手段
８ｄ  制御手段
８ｅ  制御手段
８ｆ  制御手段
８ｇ  制御手段
８ｈ  制御手段
９    距離測定手段
１０  温度検知手段
１１  風速検知手段
１２  照度検出手段
１３  表示手段
【図１】
2012163294.tif 000003
【図２】
2012163294.tif 000004
【図３】
2012163294.tif 000005
【図４】
2012163294.tif 000006
【図５】
2012163294.tif 000007
【図６】
2012163294.tif 000008
【図７】
2012163294.tif 000009
【図８】
2012163294.tif 000010
【図９】
2012163294.tif 000011